(57)【特許請求の範囲】
【請求項１】
同一平面に配置される一本の帯形状のフィラメントであって、
間隔をおいて並んで配置される並設部と、
前記並設部を電気的直列に接続する接続部とを備え、
前記並設部は、並設部の幅を１としたとき並設部の厚さが１／２以上５以下であり、
少なくともいずれか一組の前記並設部の間隔は、３０μｍ以上であって、かつ、並設部の幅を１としたとき５より小さい間隔であることを特徴とする白熱電球用フィラメント。
【請求項２】
前記白熱電球用フィラメントはさらに、
少なくともいずれか一組の前記並設部の間隔は、並設部の幅を１としたとき２以下の間隔であることを特徴とする請求項１に記載の白熱電球用フィラメント。
【請求項３】
前記白熱電球用フィラメントはさらに、
少なくともいずれか一組の前記並設部の間隔は、並設部の幅を１としたとき１以下の間隔であることを特徴とする請求項２に記載の白熱電球用フィラメント。
【請求項４】
前記並設部の幅が１００μｍ以上であることを特徴とする請求項１に記載の白熱電球用フィラメント。
【請求項５】
前記フィラメントの表面にマイクロキャビティを備えることを特徴とする請求項１に記載の白熱電球用フィラメント。
【請求項６】
前記並設部は、第２の並設部を第１の並設部が囲むように配置されていることを特徴とする請求項１に記載の白熱電球用フィラメント。
【請求項７】
最も外周に配置される並設部とこれと隣り合う並設部との間隔は、最外周の並設部の幅を１としたとき５より小さい間隔であることを特徴とする請求項６に記載の白熱電球用フィラメント。
【請求項８】
請求項１〜請求項７のいずれか１項に記載の白熱電球用フィラメントを備える白熱電球。
【発明の詳細な説明】
【技術分野】
【０００１】
本発明は、白熱電球及び白熱電球用フィラメントに関し、特に帯形状の白熱電球用フィラメントとそれを用いた白熱電球に関する。
【背景技術】
【０００２】
一般に、白熱電球は、導電性材質からなるフィラメントと、フィラメントを取り囲むように設けられたバルブと、バルブの内部に封入された希ガスと、を備えており、演色性に優れる。そして、放電ランプと異なり安定器などの点灯回路を必要とせず、簡単な使用器具を用いて点灯させることができ、また歴史的に長く使用されている関係で広く普及している。
【０００３】
通常、フィラメントは導電性のワイヤーからなるコイル状であるが、特許文献２には導電性のリボンからなる帯状のフィラメントが開示されている。図１４は特許文献２に開示されているフィラメント５０の断面、図１５は特許文献２に開示されている発光体５０’の正面、図１６は発光体５０’の断面を示す。図１４に示すように、フィラメント５０は、幅が２５０μｍである導電性のリボンから形成された成形体５２からなり、成形体５２は、導電性のリボンの幅の整数倍の間隙５３ａ〜５３ｌを空けて交互に並列に位置する一連のエレメント５２ａ〜５２ｋにより形成される。なお、間隙５３ｄ及び間隙５３ｉは、それ以外の間隙５３ａ〜５３ｃ，５３ｅ〜５３ｈ，５３ｊ，５３ｋよりも大きくなるよう形成されている。そして、図１５、１６に示すように、間隙５３ｄ，５３ｉを横切る接続部分５４ａ，５４ｂにおいて、形成体５２を折り返すことにより発光体５０’が形成される。このようにして形成された発光体５０’は、図１５に示すように、正面から見ると前のフィラメントの隙間に後ろのフィラメントが重なるように配置され、あたかも隙間は設けられていないかに思われるが、図１６に示すように断面に約１ｍｍの隙間５５，５５が設けられている。そして、発光体５０’の発光面は表面であり、その表面は平面である一連のエレメント５２ａ〜５２ｋにより形成されている、と記載されている。
【特許文献１】特開平３−１０２７０１号公報
【特許文献２】特開平６−３４９４５８号公報
【発明の開示】
【発明が解決しようとする課題】
【０００４】
しかしながら、一般に、白熱電球が放射する電磁波は、約９０％が赤外線であり、わずか１０％の可視光線を放射するにすぎない。そのため、このような白熱電球のランプ効率は１３［ｌｍ／Ｗ］程度と悪く、ランプ効率の向上という課題がある。ここで、ランプ効率は、ランプの消費電力１Ｗあたりで発生する光の量（光束）［ｌｍ］を意味し、光束とは、単位時間あたりに伝播される可視光線の量を、標準観測者の視感度に対して生ずる明るさの感覚で評価したものである。従って、ランプ効率がよいと、消費電力１Ｗあたりで得られる光の量は増し、省エネにもつながる。
【０００５】
また、レフ電球、すなわち、バルブの内側の表面の一部に反射膜を設け、フィラメントからランプ後方に放射する可視光線をその反射膜によりランプ前方に反射し、ランプ正面の照度を高め、明るさを必要とする空間に対してランプ効率がよい電球であっても、蛍光ランプに比べればランプ効率が遙かに悪く、レフ電球についてもさらにランプ効率を上げることが必要である。
【０００６】
また、特許文献２に記載されている発光体５０’において、間隙５３ａ〜５３ｌの大きさは、発光体５０’を形成しているリボンの幅（２５０μｍ）の整数倍であるため、それぞれ５００μｍである。また、発光体５０’に設けられている各間隙５５の大きさは１ｍｍである。すなわち、各エレメント間の間隔はそれぞれ大きい。各エレメント間の間隔が大きいと、各エレメント間において希ガスは対流を起こすため、発光体５０’に生じた熱が一部損なわれてしまう。そのため、発光体５０’表面全体の温度は一定に保たれない。
【０００７】
一般に、フィラメント（特許文献２では発光体）に生じた熱がフィラメント表面全体を取り囲むことにより、フィラメント表面の温度は一定となり、そのようなフィラメントを備える電球はランプ効率が良い。従って、表面全体の温度を一定に保つことができない発光体５０’を備える電球は、ランプ効率が悪いといえる。よって、特許文献２に記載されている発光体５０’を備える電球についても、ランプ効率を上げることが必要である。
【０００８】
本発明は、かかる点に鑑みてなされたものであり、その目的とするところは、簡単な構成によりランプ効率がよく面発光可能な白熱電球及びその白熱電球用フィラメントを提供することにある。
【課題を解決するための手段】
【０００９】
本発明の白熱電球用フィラメントは、同一平面に配置される一本の帯形状のフィラメントであって、間隔をおいて並んで配置される並設部と、前記並設部を電気的直列に接続する接続部とを備え、前記並設部は、並設部の幅を１としたとき並設部の厚さが１／２以上５以下であり、少なくともいずれか一組の前記並設部の間隔は、３０μｍ以上であって、かつ、並設部の幅を１としたとき５より小さい間隔であることを特徴とする。
【００１０】
ここで、同一平面とは、数学的に厳密な意味での平面を意味するのではなく、フィラメント加工や電球組立などにより多少の歪曲やずれ、ねじれなどが生じている状態も含む実質的な平面ということである。換言すると、フィラメントに電流を流すことにより熱が放射され、その熱がそのフィラメント全体を取り囲むように熱のさやを形成し、それにより商用上使用可能な程度にフィラメントの温度を一定に保つことができる程度に歪曲、ずれ、ねじれなどが生じている状態も含む実質的な同一平面ということである。
【００１１】
本発明の白熱電球用フィラメントでは、少なくともいずれか一組の前記並設部の間隔は、並設部の幅を１としたとき２以下の間隔であることが好ましく、また、前記並設部の幅が１００μｍ以上であることが好ましい。
【００１２】
また、本発明の白熱電球用フィラメントは、表面にマイクロキャビティを備えていてもよい。
【００１３】
これにより、放射を抑制する波長を任意に選択することが可能となり、抑制されたエネルギーは可視光に供することができるため、ランプ効率が高いフィラメントを提供することが可能となる。
【００１４】
また、本発明の白熱電球用フィラメントの並設部は、第２の並設部を第１の並設部が囲むように配置されていても良い。
【００１５】
これにより、フィラメント近傍に熱が有効に蓄えられる、いわゆるシースが効率よく形成され、ランプ効率の向上を図ることが可能となる。
【００１６】
また、前記白熱電球用フィラメントは、最も外周に配置される並設部とこれと隣り合う並設部との間隔は、最外周の並設部の幅を１としたとき５より小さい間隔であることとして良い。
【００１７】
並設部が並設部を囲んだ状態で配置される場合、その最外周部分の間隔のみ一定の条件を満たしておれば、それより内周に配置される並設部の間隔は任意に設定することが可能となり、フィラメント設計上の自由度を向上させることができる。
【００１８】
上述の作用効果は前記白熱電球用フィラメントを備えた白熱電球でも奏することができる。
【発明の効果】
【００１９】
本発明のフィラメント及び当該フィラメントを備えた白熱電球は、高いランプ効率を得ることができる。
【発明を実施するための最良の形態】
【００２０】
本発明の実施の形態を説明する前に、白熱電球が電磁波を放射するメカニズムを説明する。
【００２１】
白熱電球は、タングステンなどの導電性材質からなるフィラメントと、フィラメントを取り囲むように設けられたバルブと、バルブの内部に封入された希ガスと、を備えている。
【００２２】
そして、フィラメントに電流を流すと、フィラメントは導電性材質からなるため電流をよく通し、それによりジュール熱が発生してフィラメントの温度はあがる。すると、導電性材質を構成する分子、その分子を構成する原子（以下、「導電性分子など」という。）は激しく熱振動するようになる。そして、フィラメントがある温度に達すると、熱振動により導電性分子などに蓄えられた熱エネルギーが電磁波として放射されることとなる（熱放射）。すなわち、白熱電球が点灯する。従って、フィラメントの温度が高くなればなるほど、導電性分子などは、激しく熱振動し、その結果、多量の熱エネルギーを放射する。放射される熱エネルギー量が多くなるとランプは明るくなり、その結果ランプ効率は上がる。すなわち、フィラメントに流れる電流量を多くすればするほど、白熱電球のランプ効率は良くなる。しかし、フィラメントに多量の電流量を流すことによりフィラメントの温度が非常に高くなると、導電性分子などは気化するため、フィラメントの寿命を縮めることとなる。そのため、希ガスなど、導電性分子などと化学反応をおこさない不活性ガスをバルブ内に封入し、フィラメントの気化を抑制している。
【００２３】
さらに、白熱電球のランプ効率を上げるためには、フィラメントから放射された熱（以下、単に「放射された熱」という。）の拡散を防止する必要がある、従来具体的に用いられているのはタングステンワイヤーをコイル状としたフィラメントを用い、コイル状フィラメントの隣り合う巻線同士の間隔（以下、単に「フィラメント間隔」という。）を小さくすることにより放射された熱の拡散を防止している。すなわち、コイル状フィラメントから放射された熱はフィラメント表面全体を取り囲むように熱のさや（以下、「シース」という。）を形成し、シースが形成されることによりフィラメントの温度は一定に保たれる。その結果、熱損失を抑えることができるため、白熱電球のランプ効率をあげることができる。
【００２４】
ところが、フィラメント間隔を小さくしすぎると、対向する位置に配置されたフィラメント間で放電が生じる。放電が生じると、放電をひきおこしたフィラメント、すなわちフィラメント間隔が過小となるように設けられたフィラメントのインピーダンスは低下し、フィラメントには過剰な電流が流れる。その結果、フィラメントは、温度が過度に上昇し、断線してしまう。フィラメントが断線すると、フィラメント全体に電流が流れないため、そのようなフィラメントを備えている白熱電球は点灯しない。
逆に、特許文献２に記載されている発光体５０’のようにフィラメント間隔（特許文献２では間隙と記載されている）を大きくしすぎると、各フィラメント間で希ガスなどの不活性ガスが対流を起こす。そのため、放射された熱は、希ガスなどの不活性ガスの対流により拡散してしまい、フィラメント全体の温度は下がり、または、一定とならず、白熱電球のランプ効率は悪くなる。
【００２５】
以下に本発明の実施形態について、図面を参照しながら説明する。なお、以下に示す実施形態は本発明の一例であり、本発明は以下の実施形態に限定されない。
【００２６】
《実施形態１》
以下、実施形態１について図面を参照しながら説明する。
【００２７】
本実施形態では、白熱電球１０の構造、各フィラメント間隔１６及び各フィラメント間隔１６とバルブ１２に封入されているガスの組成比との関係を説明する。なお、図１は本実施形態における白色電球１０の模式図であり、バルブ１２を形成しているガラスを透視した図である。また、図２は本実施形態のフィラメント１１の一部を示す拡大図である。図３はフィラメント１１の一部を示す斜視図である。
【００２８】
まず、白熱電球１０の構造を説明する。
図１に示すように、白熱電球１０は、薄膜からなるフィラメント１１と、フィラメント１１を取り囲むように設けられたバルブ１２と、バルブ１２の内部に封入されている希ガス（不図示）と、バルブ１２に設けられている開口部を封じるように設けられている口金１３と、フィラメント１１の長尺方向に平行となるように設けられている内部導入線１４と、を備えている。そして、内部導入線１４は、フィラメント１１の端部と口金１３または口金１３が設けられていない側のバルブ１２の端部とをつなぐように設けられているサポート線１４ａ，１４ａと、一端が口金１３に設けられており他端がフィラメント１１の端部と口金１３が設けられていない側のバルブ１２の端部とをつなぐように設けられているサポート線１４ｂとにより構成されている。
【００２９】
フィラメント１１は、図２、３に示すように、同一平面に並んで配置される帯状の並設部１７と、前記平面に配置され前記並設部１７を電気的直列に接続する接続部１８とで構成されている。図４に示すように、並設部１７の幅Ｗに対し並設部１７の厚さＨは１／２以上の関係となっている。また、接続部の幅と厚さの関係も同様である。具体的に本実施形態は、並設部１７の幅Ｗは１００μｍ、厚みＨは５０μｍを採用しており、上記関係を満たしている。
【００３０】
また、フィラメント１１はタングステンからなる。なお、フィラメントを構成する導電性材質は特に限定されるものではないが、タングステンなどの高融点の金属材料が好ましく、また、合金でもかまわない。
【００３１】
また、フィラメント１１は、フィラメント１１が含まれる同一平面内において複数回にわたって蛇行した形状であり、並設部１７…が平行に並んで配置され、この並設部１７を電気的に直列に接続するように接続部１８が一体に形成されている。
【００３２】
また、並設部１７…の外縁同士間の間隔、すなわち、フィラメント間隔１６…は、互いに等しく、並設部１７の幅を１としたとき５より小さい幅である。具体的に本実施形態では、フィラメント間隔１６は１００μｍを採用しており、並設部１７の幅との関係は１対１となっている。
【００３３】
そして、このように複数の平行に並んで配置される並設部１７…により形成された平面がフィラメント１１の発光面となる。すなわち、フィラメント１１は同一平面上に形成されており、その平面上における各並設部１７及び接続部１８の表面が発光面となる。
【００３４】
なお、フィラメント１１が含まれる同一平面内において複数回にわたって曲げられているとは、ジグザグまたは蛇行した道路のような形状を示すフィラメント１１全体が実質的に一つの平面内に存在していることを意味する。すなわち、ジグザグまたは蛇行した道路のような形状を示すフィラメント１１において、フィラメント１１の表面における接線方向は、フィラメント１１の表面の至るところにおいて異なるが、その全ての接線は同一平面上に存在し、その平面はフィラメント１１が存在している面であることを意味する。また、同一平面とは、数学的に厳密な意味での同一平面を意味するのではなく、フィラメント１１の加工や電球組立などにより多少の歪曲やずれ、ねじれなどが生じている状態も含む実質的な同一平面ということである。換言すると、フィラメント１１に電流を流すことにより熱が放射され、その熱がフィラメント間隔１６，１６…も含むそのフィラメント１１全体を取り囲むようにシースを形成し、それにより商用上使用可能な程度にフィラメントの温度を一定に保つことができる程度に歪曲、ずれ、ねじれなどが生じている状態も含む実質的な同一平面ということである。また、フィラメント間隔１６については後述する。
【００３５】
本実施形態の場合、フィラメント１１は、タングステンからなる導電性の短冊形シートに対して一般的に半導体デバイス製造工程で使用されるようなエッチングを行うことにより製造される。すなわち、１枚の短冊形の導電性のシートを用意し、そのシートに図２に示すジグザグ形状をパターンニングしてエッチングを行い、パターンニングされていない部分を溶失させ、図１に示すような形状のフィラメント１１を製造する。
【００３６】
このように、エッチングを行うことによりフィラメント１１を形成することにより、製造中に外部から力が加わってフィラメント１１が破損したり、また、折り曲げられた部分の強度が低くなったりすることはない。さらに、機械加工や溶断などに比べてフィラメント１１に歪みが入りにくく、応力による寿命の短縮化を抑止することができ、また、高い加工精度を確保することが可能となる。
【００３７】
なお、当該記載はフィラメント１１を機械加工や溶断などで形成することを否定するものではなく、例えば、プレス加工などにより本発明にかかるフィラメントを製造しても同様の作用効果を示すことができる。
【００３８】
バルブ１２はガラスにより形成されており、ガラスの種類としては、ソーダガラス、鋼質ガラス、石英ガラスが挙げられる。
【００３９】
バルブ１２に封入されているガスは、主成分が希ガスであり、具体的には、アルゴンガス９０％と窒素ガス１０％とにより形成されている。そして、希ガス及び窒素ガスは、白熱電球１０が点灯している時に１気圧となるように、バルブ１２に封入されている。このようにしておくと、バルブ１２が誤って破損してしまった時、バルブ１２を形成しているガラスの飛散を防ぐことができる。
【００４０】
口金１３は、黄銅またはアルミニウム合金などにより形成され、ソケットと組み合わせられて白熱電球１０を電源に接続する。
【００４１】
内部導入線１４すなわちサポート線１４ａ，１４ａ及びサポート線１４ｂは、銅線または鉄線にニッケルをメッキすることにより形成され、フィラメント１１をバルブ１２の内部空間内に固定している。そして、サポート線１４ａ，１４ａ及びサポート線１４ｂは、フィラメント１１への電流供給を行っている。具体的には、口金１３を介して接続されている外部電源が供給する電流は、サポート線１４ａ，１４ａを通ってフィラメント１１に到達し、フィラメントに到達した電流は、サポート線１４ｂを通って外部電源へ戻る。
【００４２】
続いて、各フィラメント間隔１６について説明する。
上記の白熱電球の放射メカニズムによると、各フィラメント間隔１６が小さすぎると、並んで配置される並設部１７の間に放電が生じ、それによりフィラメント１１は断線してしまう。従って、本実施形態にかかるフィラメント１１の各フィラメント間隔１６は、点灯時に並設部１７…の外縁同士間で放電が生じる間隔よりも大きい間隔が設定されている。具体的には放電が生じないフィラメント間隔１６は３０μｍ以上と考えられており、本実施形態ではフィラメント間隔１６は１００μｍを採用している。
【００４３】
ここで、点灯時に並設部１７…の外縁同士間で放電が生じる間隔とは、白熱電球１０が点灯することにより並設部１７間で放電が生じない程度に、並設部１７…同士の間隔、すなわち各フィラメント間隔１６が設けられていることを意味する。従って、この場合、並設部１７…の外縁同士間で放電が生じる虞はなく、よってフィラメント１１が断線することもない。そのため、白熱電球１０は点灯する。
【００４４】
なお、アルゴンガス９０％と窒素ガス１０％とにより構成されるガスをバルブ１２に上記圧力で封入した条件で、公差や点灯中の変形を考慮した場合、このフィラメント間隔１６は４０μｍ以上を確保することが好ましい。各フィラメント間隔１６が４０μｍ以上であれば、製造公差や熱歪みによる変形を吸収してなおかつ並設部１７の外縁同士間で放電は生じないものとすることができる。よって、放電による損傷や熱の偏りを回避し得てフィラメント１１は断線しない。
【００４５】
なお、アルゴンガス９０％と窒素ガス１０％とにより構成されるガスをバルブ１２に封入した場合、各フィラメント間隔１６が４０μｍ未満、例えば３０μｍであっても、理想的には並設部１７…の外縁同士間で放電は生じない。しかし、フィラメント間隔１６を正確に設計値通りとなるようフィラメント１１を製造することは困難である。よって製造されたフィラメント１１において、フィラメント間隔１６はある程度のばらつきを有する。すなわち、フィラメント間隔１６の至るところにおいて、放電が生じない間隔である３０μｍの間隔を確保してフィラメント１１を製造することは非常に難しい。そのため、製造時のばらつきによりフィラメント１６を放電が生じない間隔、３０μｍよりも短い間隔ができてしまうと、その箇所では放電が生じ、上記の白熱電球の放射メカニズムよりフィラメント１１は断線してしまう。その結果、ランプは点灯不可となる。そのようなことがおこらないようにするために、各フィラメント間隔１６を４０μｍ以上としているのであって、理論的には、各フィラメント間隔１６が３０μｍであっても、並設部１７…の外縁同士間で放電は生じない。
【００４６】
続いて、各フィラメント間隔１６とバルブ１２に封入されているガスの組成比との関係を説明する。
【００４７】
上記の白熱電球の放射メカニズムより、フィラメント間隔１６が小さすぎると、並設部１７…の外縁同士間で放電が生じ、フィラメントのインピーダンスが下がり、過電流が流れ、その結果フィラメントの温度が上昇し、フィラメント１１は断線してしまう。しかし、バルブ１２に封入する窒素ガスの量を多くすることにより、具体的には窒素ガス圧を上げたり窒素ガスの組成比を大きくすることにより、フィラメント間隔１６が小さくても、並設部１７…の外縁同士間における放電を阻止することができる。窒素ガスの絶縁破壊電圧が高いため、並設部１７…の外縁同士間における放電を防止することができるためである。一方、アルゴンガスはフィラメントの気化による短寿命化を防止するためにバルブ１２に封入されるにすぎない。従って、バルブ１２に封入するアルゴンガスの量を多くしてフィラメント間隔１６を小さくすると、上記の白熱電球の放射メカニズムに示すように、並設部１７…の外縁同士間で放電が生じ、それによりフィラメント１１は断線してしまう。このこと、すなわち、フィラメント間隔１６が小さくても窒素ガスの量を多くすることにより並設部１７…の外縁同士間における放電を阻止することができることは、パッシェンの法則、すなわち、絶縁破壊電圧Ｖは電極間の距離ｄと気体の圧力ｐとの積ｐｄの関数で表されるという法則を反映している。ここで、絶縁破壊電圧Ｖはこれ以上の電圧がかかると電極間の気体が絶縁破壊してしまう電圧を意味し、アルゴンガスの絶縁破壊電圧Ｖに比べ窒素ガスの絶縁破壊電圧Ｖは大きな値を示す。また、電極間の距離ｄはフィラメント間隔１６を意味する。そして、パッシェンの法則より、絶縁破壊電圧Ｖの値が変わらない範囲内で窒素ガスの圧力ｐを大きくすると、電極間の間隔ｄ、すなわちフィラメント間隔１６を小さくすることができ、具体的には、３０μｍ未満にすることが可能である。これにより、フィラメント間において放電が生じることなくフィラメントの間隔１６を小さくすることができる。しかし、窒素ガス圧を上げすぎたり窒素ガスの組成比を大きくしすぎたりすることによりバルブ１２内に多量の窒素ガスを封入すると、ランプ効率は悪くなる。よって、バルブ１２に窒素ガスのみを封入することはできず、フィラメント間隔１６を限りなく小さくすることは不可能であり、各種のランプ特性のバランスを考えると、フィラメント間隔１６は、３０μｍ以上とすることが好ましい。
【００４８】
一方、各フィラメント間隔１６が大きすぎると、フィラメント間隔１６を含むフィラメント１１表面全体を包み込むようにシースは形成されないか形成されてもランプ効率の向上に寄与しない。具体的には並設部１７の幅の５倍以上であればシースは形成されないか形成されてもランプ効率の向上に寄与しない。また好ましいフィラメント間隔１６は並設部１７の幅の２倍以下であり、さらに好ましくは１倍すなわち並設部１７の幅とフィラメント間隔１６とが同等以下であることが好ましい。
【００４９】
図５は、並設部１７の幅を１００μｍとしたときのフィラメント間隔１６とランプ効率の関係をシミュレーションした結果を示したグラフである。なお、当該シミュレーションは、フィラメント間隔１６を１００μｍ、厚さを５０μｍとして作成されたフィラメントを用いて実際に実験された実測値に基づいてなされたものである。また、同図のグラフは、フィラメント間隔１６が１００μｍ、厚さ５０μｍのときのランプ効率を１として規格化したグラフであり、グラフ中に示した上の線上に付されている点（■）はフィラメント１１の厚さが５０μｍの場合のシミュレーション結果を、下の線上に付されている点（◆）は厚さが２５μｍの場合のシミュレーション結果を示している。
【００５０】
同図から解るように、フィラメント間隔１６が並設部１７の幅の５倍（本グラフではフィラメント間隔１６が５００μｍ）より小さくなると、飛躍的にランプ効率が高くなるのが解る。また、フィラメント１１の厚さがフィラメント１１の幅の１／２であれば前記ランプ効率の飛躍的向上が望めるが、フィラメント１１の厚さがそれ未満であるとランプ効率の飛躍的向上は望めない。一方、フィラメント１１の特に並設部１７の厚さは上記関係を満たせば特に上限は無いが、加工の容易さや歪みの発生確率を考慮すればフィラメント１１の幅の５倍よりも小さければ（すなわち５００μｍよりも小さければ）効率が上がり始め、２倍以下（すなわち２００μｍ以下）であれば効率の向上度合がほとんど飽和しているので、当該範囲が好ましい範囲となる。さらに、エッチングによりフィラメント１１を形成するのであれば等倍以下（すなわち１００μｍ以下）であれば、効率の向上効果が一定となり好適である。
【００５１】
以上から、フィラメント間隔１６の最小は、放電の観点からは３０μｍ以上、加工性の観点からは４０μｍ以上が好ましい。一方、フィラメント間隔１６の最大は、フィラメント１１の幅の５倍未満、好ましくは２倍以下、さらに好適には１倍以下である。
【００５２】
本実施形態においては、各フィラメント間隔１６が１００μｍに設定されており、上記好適な範囲内に収まっている。従って本実施形態のフィラメント間隔１６では、希ガス及び窒素ガスの対流は、フィラメント１１の近傍で起こしにくくなっている。従って、放射された熱が拡散することはなく、フィラメント１１全体は、シースに包み込まれ一定の温度に保たれ、高いランプ効率を得ることができる。
【００５３】
なお、フィラメント１１の幅は１００μｍ以上であることが好ましい。これはランプ効率からの要請ではなく、フィラメントの機械的強度を確保するためである。すなわち、タングステン製のフィラメントを１００μｍ未満にすると、通電時の発熱によるフィラメント１１の変形が激しくなり、所定のフィラメント間隔１６を維持することが困難になるからである。従って、加工方法やフィラメントの材質などにより、フィラメントの機械的強度（特に熱による変形）が向上すればフィラメントの幅をさらに小さくすることは可能である。
【００５４】
以上より、本実施形態のフィラメント１１を備えた白熱電球１０を点灯しても、各フィラメント間隔１６が点灯時に平行に配置された並設部１７…の外縁同士間で放電が生じる間隔よりも大きいため、並設部１７…の外縁同士間で放電が生じることはなく、よって、フィラメント１１は断線しない。一方、各フィラメント間隔１６が並設部１７の幅と同じ１００μｍであるため、放射された熱はフィラメント間隔に存在する希ガス及び窒素ガスにより拡散してしまうことはない。そのため、白熱電球１０はランプ効率が良い。具体的には、本実施形態におけるフィラメント１１を備えた白熱電球１０のランプ効率の値は、１５〜１６［ｌｍ／Ｗ］であり、従来の白熱電球のランプ効率の値（１３〜１４［ｌｍ／Ｗ］）よりも大きい。
【００５５】
なお、ランプ効率を上げるために、封入ガスをクリプトンにしても良い。なお、封入ガスをクリプトンにした電球等の開発や、その他様々な手法や工夫がなされているが、本実施形態のように、ランプ効率が約２割程度も上昇した電球、または上昇させる方法は未だ開示されていない。
【００５６】
以下に、本実施形態が奏する効果を示す。
本実施形態におけるフィラメント１１の各フィラメント間隔１６は、点灯時に並設部１７…の外縁同士間で放電が生じる間隔よりも大きい１００μｍに設定されている。従って、このフィラメント１１を備える白熱電球１０を点灯しても、並設部１７…の外縁同士間で放電が生じることはない。そのため、放電をひきおこした並設部１７…において、インピーダンスの低下を招来することはなく、よって過剰に電流が流れることはなく、フィラメント１１が断線することはない。すなわち、白熱電球１０は点灯不可とはならない。
【００５７】
具体的には、バルブ１２にアルゴンガス９０％と窒素ガス１０％とで構成される気体を封入した場合は、フィラメント間隔の下限は３０μｍ、加工精度や熱歪みなどを考慮して各フィラメント間隔１６は４０μｍであればよい。一方、各フィラメント間隔１６の上限はフィラメント１１の幅が１００μｍであることから５００μｍである。従って、フィラメント間隔１６に１００μｍを採用する本実施形態において、希ガス及び窒素ガスが対流をおこすことはない。よって、放射された熱が希ガス及び窒素ガスの対流により拡散することはなく、シースはフィラメント１１表面全体を取り囲むように形成されたままである。
【００５８】
以上より、本実施形態にかかるフィラメント１１を備えた白熱電球１０では、フィラメント１１は断線することがなく、且つ放射された熱が拡散することもない。従って、本発明のフィラメント１１を備えた白熱電球１０は完全に面状に発光するにもかかわらずランプ効率がよい。
【００５９】
また、フィラメント１１は、図１、２、３に示すように帯状に形成されており、フィラメント１１が含まれる面内において複数回にわたって屈曲しているだけである。そのため、フィラメント１１の構成は簡単である。そのうえ、フィラメント１１を製造する際には、長尺部材を複数回にわたって折り曲げるような機械加工を施すわけではなく、短冊状のタングステンシートに対してエッチングを行えばよい。そのため、製造中にフィラメントが破損することはなく、容易かつ精度良くに製造することができる。
【００６０】
なお、本実施形態のフィラメントについて、並設部１７…は平行に設けられているとしたが、これに限定されることはない。また、各フィラメント間隔１６は、それぞれ等しいとしたが、これに限定されることはない。並設部１７…がフィラメント間隔１６を設けて配置されており、且つ、フィラメント間隔１６が至る所において点灯時に対向するリボンの外縁同士間で放電が生じる間隔（例えば３０μｍ）よりも大きくフィラメント１１の幅の５倍より小さければよい。具体的には、アルゴンガス９０％と窒素ガス１０％とにより構成されるガスをバルブ１２に封入し、フィラメント１１の幅を１００μｍとした場合には、フィラメント間隔１６が３０μｍ以上５００μｍ未満、好ましくは４０μｍ以上３００μｍ未満、さらに好ましくは５０μｍ以上２００μｍ未満となるように並設部１７…を配置すればよい。
【００６１】
また、本実施形態では、希ガスとしてアルゴンガスを用いたが、これに限定されることはなく、クリプトンガスやキセノンガスを用いてもよい。クリプトンガスやキセノンガスを用いると、アルゴンガスを用いる場合に比べ、フィラメント１１の寿命は延びる。
【００６２】
《実施形態２》
以下、実施形態２について図面を参照しながら説明する。
【００６３】
本実施形態では、主に、白熱電球２０の構造を説明する。なお、図６は本実施形態における白色電球２０の模式図であり、バルブ２２を形成しているガラスを透視して見た図である。また、図７は本実施形態にフィラメント２１の拡大図である。
【００６４】
本実施形態における白熱電球２０は、上記実施形態１における白熱電球１０と異なり、フィラメント２１の外形は円形であり、それに伴って、バルブ２２及び内部導入線２４の形状が異なる。それ以外の点に関しては、上記実施形態１における白熱電球１０及びフィラメント１１と同一である。そのため、上記実施形態１と重複する部分については、詳細な説明を省略する。
【００６５】
図６に示すように、白熱電球２０は、薄膜からなるフィラメント２１と、フィラメント２１を取り囲むように設けられたバルブ２２と、バルブ２２の内部に封入されている希ガス及び窒素ガス（不図示）と、バルブ１２に設けられている開口部を封じるように設けられている口金１３と、口金１３とフィラメント２１とを連結するように設けられている内部導入線２４と、を備えている。
【００６６】
フィラメント２１は、図７に示すように、幅が１００μｍ厚みが５０μｍの導電性の並設部２７と、これを電気的に直列に接続する接続部２８と、これら並設部２７及び接続部２８を電気的直列に外部に接続するための導出部２９で構成されている。また、フィラメント２１の材質は実施形態１と同様タングステンである。
【００６７】
並設部２７は、並設部２７が含まれる同一平面内において等間隔の同心円上に並べて配置されており、最外周の並設部２７がその内側の並設部２７を囲んでいる。また、複数回にわたって曲げられて蛇行するように、接続部２８によって電気的に直列に接続され、導出部２９によりこの端部を同一平面内において並設部２７の円形の囲みから導出されている。そして、フィラメント２１のうち最外形部分を形成している並設部は、その外周円の半径が１ｍｍの円の中に収まるように形成されている。また、フィラメント間隔２６…は互いに等しい。以上のように形成されたフィラメント２１が存在する面が発光面となる。
【００６８】
そして、各フィラメント間隔２６は、上記実施形態１における各フィラメント間隔１６と同一の１００μｍに設定されている。また、接続部２８と導出部２９との間隔も１００μｍに設定されている。すなわち、各フィラメント間隔２６は、点灯時に対向する並設部２７…の外縁同士間や接続部２８と導出部２９との間で放電が生じる間隔よりも大きい。そのため、これらフィラメント同士間で放電が生じることはなく、よってフィラメント２１が断線することはない。また、これら間隔は１００μｍとしているため、並設部２７…の外縁同士間の間隙を含めたフィラメント２１全体の周囲にはシースが形成される。以上より、本実施形態における白熱電球２０はランプ効率がよい。
【００６９】
また、各フィラメント間隔２６とバルブ２２に封入されているガスの組成比との関係は、上記実施形態１における各フィラメント間隔１６とバルブ１２に封入されているガスの組成比との関係と同一である。すなわち、バルブ２２に封入する窒素ガスの量を増やすと、フィラメント間隔２６が小さくても対向する並設部２７…の外縁同士間における放電を抑制することができ、その結果、フィラメント間隔２６を４０μｍ未満とすることができる。しかし、各種のランプ特性のバランスを考えると、フィラメント間隔２６は、４０μｍ以上とすることが好ましい。
【００７０】
以下に、本実施形態が奏する効果を示す。
本実施形態おける白熱電球２０及びフィラメント２１が奏する効果は、上記実施形態１における白熱電球１０及びフィラメント１１が奏する効果に付け加え、以下に示す効果を奏する。すなわち、フィラメント２１は等間隔の同心円上に円形領域を取り囲むように配置されるものであるため、上記実施形態１のフィラメント１１のような長尺なフィラメントに比べ、バルブ２２に封入されたガスの対流による熱損失がより少なくなる。従って、白熱電球２０は白熱電球１０よりもランプ効率がよい。また、フィラメント２１の外形が円形であるためこれを取り囲むバルブ２２の形状も従来の白熱電球と同様の半球状とすることができ、局所的に明かりが必要なときには、白熱電球２０を用いることができる。すなわち、白熱電球２０は、スポットライト的に用いることができる、という効果を奏する。また、更に、フィラメント２０の発光部が平面であり一点に集中しているためレンズ光学系等との組み合わせた集光照明にも有効である。
【００７１】
上記実施形態１におけるフィラメント１１と同様、対向する並設部２７…がフィラメント間隔２６を設けて配置されており、且つ、フィラメント間隔２６が至る所において点灯時に対向するリボンの外縁同士間で放電が生じる間隔よりも大きく５００μｍ未満であればよい。そして、アルゴンガス９０％と窒素ガス１０％とにより構成されるガスをバルブ２２に封入した場合には、フィラメント間隔２６が３０μｍ以上５００μｍ未満となるように対向する並設部２７…を配置すればよい。
【００７２】
なお、本実施形態のフィラメントについて、対向する並設部２７…は平行に設けられているとしたが、これに限定されることはない。また、各フィラメント間隔２６は、それぞれ等しいとしたが、これに限定されることはない。例えば、図８に示すように、最外周に位置するフィラメント間隔２６のみ１００μｍに設定され、内周に行くほどその間隔を広げたものでもかまわない。このように並設部２７を配置しても有効なシースが形成される。また、フィラメント１１の全体的形状は円形である必要はなく、三角形や四角形などの多角形や、楕円や長円、星形やハート形など任意の形状を採用しうる。
【００７３】
《実施形態３》
本実施形態の白熱電球は、フィラメントにマイクロキャビティを形成した白熱電球である。なお、本実施形態の説明をする前に、マイクロキャビティについて説明する。
【００７４】
特許文献１には、白熱電球のランプ効率を上げる手段として、発光面であるフィラメントの表面にマイクロキャビティ（微小な穴）を形成し、そのマイクロキャビティによる空洞量子効果を利用することにより、フィラメントから放射される電磁波の波長選択性を高めることができる、すなわち赤外線の放射を阻止することができるという方法が開示されている。この方法では、マイクロキャビティを、一辺の長さが可視光線の波長程度である正方形を底面とし深さが可視光線の波長よりも長い角柱状の空洞としている（特許文献１）。例えば、フィラメントの表面に、底面が一辺３５０ｎｍの正方形で深さが３５０ｎｍの２０倍である７０００ｎｍ程度のマイクロキャビティを設けると、７００ｎｍ以上の波長を有する電磁波がフィラメントの外部へ放射されることを抑制することができる、というものである。すなわち、フィラメントの表面にマイクロキャビティを形成すると、そのマイクロキャビティの底辺の長さの２倍の長さよりも長い波長を有する電磁波の放射は阻止され、そのマイクロキャビティの底辺の長さの２倍の長さよりも短い波長を有する電磁波のみがフィラメント外部へ放射される。従って、マイクロキャビティの底辺の長さを可視光線の波長の半分程度とすることにより、赤外線の放射を阻止することができ、その結果、ランプ効率はあがる、と記載されている。
【００７５】
発光面であるフィラメントの表面に、マイクロキャビティを形成する方法として、レーザ光を用いる方法と陽極酸化膜を用いる方法とがある。レーザ光を用いる方法では、まず、複数の孔を持つマスクを用意し、そのマスクをレーザ光で照明する。次に、光学系を用いてそのマスクを透過したレーザ光によるマスク像をフィラメント表面に結像する。すると、レーザ光が照射されたフィラメントは削られる。これにより、フィラメント表面に複数のマイクロキャビティ（マイクロキャビティアレイ）が形成される。また、陽極酸化膜を用いる方法では、まず、微細孔を有する陽極酸化膜を用意し、母材金属表面に設ける。次に、この微細孔の内部を埋めるように、レプリカとなる金属層をＣＶＤ法などにより母材金属表面に形成する。そして、母材金属および陽極酸化膜を除去する。これにより、陽極酸化膜の微細孔の構造に対応する凹凸形状がレプリカ金属層の表面に転写される。その後、フィラメントを形成する導電性薄膜（通常、ダングステン）をこのレプリカ金属層表面にＣＶＤ法などにより形成した後、レプリカ金属層を除去する。これにより、フィラメントを形成する導電性薄膜の表面に陽極酸化膜に形成されている微細孔が転写され、フィラメント表面にマイクロキャビティアレイを形成することができる。
【００７６】
しかしながら、レーザ光を用いる方法において、マスクに形成されている複数の孔により分割されたレーザ光を用いて複数の孔のパターンをフィラメント表面に精度よく結像させるためには、マイクロキャビティを形成するフィラメントの表面は平面でなければならない。また、陽極酸化膜を用いる方法において、レプリカ金属層表面にＣＶＤ法などにより導電性薄膜を形成するためには、マイクロキャビティを形成するフィラメントの表面は平面でなければならない。そのため、フィラメントの発光面が平面でないワイヤーからなるコイル状フィラメントの表面に、マイクロキャビティを形成することは困難であった。
【００７７】
これに対して、特許文献２に記載されている発光体５０’の発光面である表面は一連のエレメント５２ａ〜５２ｋにより形成されており、一連のエレメント５２ａ〜５２ｋは平面である。よって、発光体５０’の発光面は平面であり、発光体５０’の発光面に対してマイクロキャビティを形成することは可能である。ここで、例えば、電圧が２４Ｖであり、パワーが１００Ｗである電球を製造するためには、一般的なコイル状フィラメントであれば、径が０．２ｍｍであり長さが３０ｃｍの大きさを有する物を用い、特許文献２に開示されているフィラメント５０であれば、幅が３００μｍであり厚さが１００μｍであり長さが３０ｃｍの大きさを有する物を用いればよい。従って、特許文献２に開示されているフィラメント５０はそれほど大きくしなくても、コイル状のフィラメントと同程度のパワーを示す。よって、発光体５０’の発光面にマイクロキャビティを形成すれば、コイル状フィラメントよりもランプ効率の良い電球を提供できる、と推測される。
【００７８】
しかしながら、特許文献２に開示されているフィラメント５０の発光面にマイクロキャビティを形成するためには、例えば、レーザ光を用いる場合は一辺の長さが３００μｍであるマスクを用いるため、幅が３００μｍであり厚さが１００μｍであり長さが３０ｃｍであるフィラメント５０では、上記の工程を２０００回行う必要がある。従って、非常に手間がかかるとともに時間もかかる。また、陽極酸化膜を用いる場合、長さが３０ｃｍ以上の導電性薄膜を加工できるＣＶＤチャンバが必要となる。そのため、現状のＣＶＤチャンバを用いて、発光体５０’の発光面にマイクロキャビティを形成することは困難である。いずれにしろ、発光体５０’の発光面は平面であるにも関わらず、その発光面にマイクロキャビティ加工を施すことは困難である。そのため、発光体５０’を備えた電球のランプ効率を上げることはできない。
【００７９】
さらに、たとえ発光面の大きなフィラメントに対してマイクロキャビティを形成する技術が考案され、発光体５０’の発光面に対して難なくマイクロキャビティを形成することができたとしても、発光体５０’における各エレメント間の間隔、間隙５３ａ〜５３ｌ及び間隙５５，５５は、背景技術の欄に記載したように５００μｍと非常に大きい。そのため、各エレメント間では希ガスが対流を起こし、それにより発光体５０’上に生じた熱の一部は損なわれてしまう。従って、発光体５０’に形成されるシースは、間隙５３ａ〜５３ｌ及び間隙５５，５５において、分断されることとなり、発光体５０’表面全体を覆うようには形成されない。以上より、発光体５０’の表面にマイクロキャビティを形成しても、そのフィラメントを備える電球はランプ効率が良くない。
【００８０】
本実施形態では、表面にマイクロキャビティが形成されたフィラメント３１、及び、マイクロキャビティの形成方法について、図面を参照しつつ説明する。なお、図９は本実施形態における白色電球３０の模式図であり、バルブ１２を形成しているガラスを透視した図である。また、図１０、１１は本実施形態におけるフィラメント３１の拡大図である。なお、理解を容易にするためマイクロキャビティ３５をフィラメント３１上に図示しているが、実際のマイクロキャビディはフィラメント３１に対して非常に小さい。また、図１２は図１０のＶＩＩ−ＶＩＩ線断面図の一部を拡大した図である。
【００８１】
なお、マイクロキャビティは、本発明にかかるいずれのフィラメントに対しても形成することができ、その効果を奏することが可能である。例えば、図７や図８に示す同心円上に並べられたフィラメントに対しても適用することができる。また、マイクロキャビティを形成したことにより得られる効果なども同一である。
【００８２】
図９に示す本実施形態における白熱電球３０は、上記実施形態１における白熱電球１０と異なり、フィラメント３１の表面にマイクロキャビティ３５が形成されているが、マイクロキャビティ３５は図示出来ないほど小さいので図面上は図１との相違はない。そのため、上記実施形態１と重複する部分については、詳細な説明を省略する。
【００８３】
白熱電球３０は、薄膜からなるフィラメント３１と、フィラメント３１を取り囲むように設けられたバルブ１２と、バルブ１２の内部に封入されている希ガス及び窒素ガス（不図示）と、バルブ１２に設けられている開口部を封じるように設けられている口金１３と、フィラメント１１の長尺方向に平行となるように設けられている内部導入線１４と、を備えている。
【００８４】
フィラメント３１は、図９に示すように、幅が１００μｍ厚みが５０μｍの帯状であり、タングステンにより形成されている。そして、フィラメント３１は、図９に示すように、同一平面内において複数回にわたって蛇行した形状であり、並設部３７…が平行に並んで配置され、この並設部３７を電気的に直列に接続するように接続部３８が一体に形成されている。そして、図１２の断面図で示すように、フィラメント３１の表面には、複数のマイクロキャビティ３５，３５，…が形成されている。ここで、マイクロキャビティとは微小な穴のことあり、本実施形態の場合は円柱形状穴である。各マイクロキャビティ３５の深さはその開口直径の２倍以上であればよい。そして、フィラメント３１の表面にマイクロキャビティ３５を形成すると、マイクロキャビティ３５の開口径の２倍よりも長い波長を有する電磁波の放射は阻止され、マイクロキャビティ３５の開口径の２倍よりも短い波長を有する電磁波のみがフィラメント３１外部へ放射される。従って、マイクロキャビティ３５の開口径を可視光線の波長の半分程度とすることにより、特に開口径を３５０ｎｍ以上４００ｎｍ以下とすることにより、赤外線の放射を阻止することができ、その結果、ランプ効率は良くなる。なお、マイクロキャビティは、円柱形状を示したが、角柱形状でも良い。この場合、１辺の長さが３５０ｎｍ以上４００ｎｍ以下であることが好ましい。
【００８５】
マイクロキャビティ３５の形成方法は、従来のレーザ光を用いる方法または陽極酸化膜を採用することができる。なお、レーザ光を用いる方法では、エッチングによりフィラメントを製造しながら、マイクロキャビティ３５を形成することができるため、フィラメント３１ｂの表面に対して、非常に容易にマイクロキャビティ３５を形成することができる。なお、マイクロキャビティ３５をエッチングに形成することも可能であり、フィラメントの形状をエッチングで形成している際にマイクロキャビティ３５の形成を同時に行うことも可能となる。
【００８６】
そして、本実施形態においても、バルブ１２に封入する窒素ガスの量を多くすると、フィラメント間隔３６を４０μｍ未満とすることができが、各種のランプ特性のバランスを考えると、フィラメント間隔３６は、４０μｍ以上とすることが好ましい。このようにフィラメント３１自体の形状は前記フィラメントと変わるところがない。
【００８７】
以下に本実施形態が奏する効果を示す。
本実施形態おけるフィラメント３１が奏する効果は、上記実施形態１が奏する効果に付け加え、以下に示す効果を奏する。すなわち、フィラメント３１の表面にはマイクロキャビティ３５が形成されている。従って、本実施形態における白熱電球３０は、上記実施形態１における白熱電球１０よりも更にランプ効率がよい、という効果である。
【実施例】
【００８８】
上記実施形態１の白熱電球１０と同一の構造を示す白熱電球（以下、「電球Ａ」という。）と、タングステン線からなる二重コイルフィラメントを備えた６０Ｗシリカ電球（品番Ｌ１００Ｖ５７Ｗ）（以下、「電球Ｂ」という。）と、単なる長方形のタングステンシートをフィラメントとして備えた電球（以下、「電球Ｃ」という。）と、を準備した。ここで、電球Ａが備えているフィラメントは、厚さ５０μｍ、幅１００μｍ、長さ２０ｍｍ、フィラメント間隔は１００μｍに設定されている。また、電球Ｃが備えているフィラメントは、厚さ５０μｍ、幅１００μｍ、長さ２０ｍｍの短冊状のタングステンシートである。また、電球Ｃが備えているフィラメントは曲げられておらず直線状である。また、電球Ａ，Ｂ，Ｃには、各電球を点灯したときに１気圧となるよう少なくとも希ガスが封入されている。
【００８９】
本実施例では、３つの電球Ａ，Ｂ，Ｃのランプ効率を比較した結果と、電球Ａ，Ｃが備えている各フィラメントの長尺方向における温度分布を解析した結果と、を示す。
【００９０】
まず、３つの電球Ａ，Ｂ，Ｃについて、フィラメントの分布温度が２８００Ｋとなるように点灯し、ランプ効率を比較した。表１にその結果を示す。
【００９１】
【表１】
0003863554.tif 000002
【００９２】
表１より、電球Ａのランプ効率が最もよいことがわかる。
以上より、電球Ａは、ランプ効率の値が現行の電球（電球Ｂ）のランプ効率の値よりも１割から２割大きく、現行の電球（電球Ｂ）に比べ商用上の利用性が非常に高いといえる。また、フィラメント表面にマイクロキャビティを形成しなくてもランプ効率の値が１割から２割大きくなったため、ランプ効率のよい電球を非常に容易に形成することができるといえる。
【００９３】
次に、電球Ａ，Ｃに対して熱解析シミュレーション（ＣＤ−ａｄａｐｃｏ  ＪＡＰＡＮ製  ＳｔａｒＣＤ  ｖｅｒ３．１５０）を行い、電球Ａ，Ｃの各フィラメントの長手方向における温度分布を調べた。ここで、電球Ａには、０．８Ａ，１．０Ａ，１．２Ａの電流を流した。図１３にその結果を示す。なお、図１３の横軸は、フィラメント長尺方向におけるフィラメントの中点からフィラメントと内部導入線との接合点までの距離を示し、縦軸は、各点における温度を示す。また、実線は、それぞれ電球Ａに０．８Ａ，１．０Ａ，１．２Ａの電流を流した場合の熱解析の結果を示し、破線は、電球Ｃの熱解析の結果を示す。
【００９４】
図１３より、電球Ａに０．８Ａ，１．０Ａ，１．２Ａの電流を流した場合（いずれも実線）は、フィラメントの中点からフィラメントと内部導入線との接合部分にかけて、温度はほとんど一定であることがわかる。なお、各グラフにおいて周期的に温度が低下しているのは、フィラメント間隔に存在する希ガスの温度が示されていると考えられる。これに対して、電球Ｃ（破線）については、フィラメント中点からフィラメントと内部導入線との接合部分にかけて、温度は単調に減少していることがわかる。
【００９５】
以上より、電球Ｃのフィラメントにより放射された熱は、バルブに封入された希ガス及び窒素ガスの対流により拡散してしまい、その結果、電球Ｃのフィラメント表面全体にはシースが形成されていないといえる。一方、電球Ａのフィラメントにより放射された熱は、バルブに封入された希ガス及び窒素ガスの対流により拡散することはなく、よって、電球Ａのフィラメント表面全体にはシースが形成されているといえる。そのため、ランプ効率は、電球Ａの方が電球Ｃよりもよい。従って、電球Ａが備えるフィラメントのように、フィラメント間隔が１００μｍとなるように複数回にわたって曲げられたような構造を示すフィラメントでは、表面全体にシースが形成されているため温度を一定に保つことができ、その結果、そのようなフィラメントを備える白熱電球すなわち電球Ａはランプ効率が良い電球であるといえる。
【産業上の利用可能性】
【００９６】
以上のように、本発明にかかる白熱電球は、白熱電球が備えるフィラメントに電流を流すことにより白色光を発する電球、特に照明用電球などとして利用可能である。また、本発明にかかる白熱電球用フィラメントは、電流を流すことにより白色光を発する白熱電球用フィラメント、特に照明用電球などに用いるフィラメントとして利用可能である。また、本発明にかかる白熱電球用フィラメントはマイクロキャビティなどの表面加工用の基板フィラメントとしても利用可能である。
【図面の簡単な説明】
【００９７】
【図１】実施形態１における白熱電球の側面図である。
【図２】同実施形態のフィラメントの一部拡大平面図である。
【図３】同実施形態のフィラメントの一部拡大斜視図である。
【図４】同実施形態のフィラメントの断面図である。
【図５】フィラメント間隔とランプ効率との関係を示すグラフである。
【図６】実施形態２における白熱電球の側面図である。
【図７】同実施形態のフィラメントの平面図である。
【図８】フィラメントの変形例を示す平面図である。
【図９】実施形態３における白熱電球の側面図である。
【図１０】マイクロキャビティを備えたフィラメントを模式的に示す平面図である。
【図１１】同フィラメントの模式的斜視図である。
【図１２】図１０のＶＩＩ−ＶＩＩ線断面の一部を拡大した断面図である。
【図１３】熱解析結果を示すグラフである。
【図１４】従来例におけるフィラメントの断面図である。
【図１５】従来例における発光体の正面図である。
【図１６】従来例における発光体の断面図である。
【符号の説明】
【００９８】
１０、２０    白熱電球
１１、２１    フィラメント
１２、２２    バルブ
１３          口金
１４          内部導入線
１４ａ、１４ｂ       サポート線
１６、２６、３６フィラメント間隔
１７、２７、３７並設部
１８、２８、３８接続部
２９          導出部
３５          マイクロキャビティ
【図１】
0003863554.tif 000003
【図２】
0003863554.tif 000004
【図３】
0003863554.tif 000005
【図４】
0003863554.tif 000006
【図５】
0003863554.tif 000007
【図６】
0003863554.tif 000008
【図７】
0003863554.tif 000009
【図８】
0003863554.tif 000010
【図９】
0003863554.tif 000011
【図１０】
0003863554.tif 000012
【図１１】
0003863554.tif 000013
【図１２】
0003863554.tif 000014
【図１３】
0003863554.tif 000015
【図１４】
0003863554.tif 000016
【図１５】
0003863554.tif 000017
【図１６】
0003863554.tif 000018